(57)【要約】【課題】  意匠背景を交換することが可能で、面白みや商品性が向上した表示装置を提供することを目的とするものである。【解決手段】  交換可能な意匠部材であるＣＤ（コンパクトディスク）３と、このＣＤ３の前面に位置する透過性を有する表示板である目盛板４と、この目盛板４に設けた指標部７を指示する指針５と、この指針５を駆動する計器本体６とを備え、ＣＤ３の少なくとも一部を目盛板４をとおして視認することが可能なものである。【選択図】  図１
2005315664.tif 000002
【特許請求の範囲】
【請求項１】
交換可能な意匠部材と、この意匠部材の少なくとも一部を透視可能な表示器とを備えたことを特徴とする表示装置。
【請求項２】
前記表示器が、前記意匠部材の前面に位置する透過性を有する目盛板と、この目盛板に設けた指標部を指示する指針と、この指針を駆動する計器本体とからなることを特徴とする表示装置。
【請求項３】
前記意匠部材を収納する第１の収納室と、前記表示器を収納する第２の収納室とを備えたことを特徴とする表示装置。
【請求項４】
前記意匠部材と前記表示器との間に光透過率の低い透過性部材を設けたことを特徴とする請求項１から請求項３のいずれかに記載の表示装置。
【請求項５】
前記意匠部材と前記表示器との間に光を透過するとともに光を拡散する拡散部材を設けたことを特徴とする請求項１から請求項３のいずれかに記載の表示装置。
【請求項６】
前記意匠部材が回転記憶媒体であることを特徴とする請求項１から請求項３のいずれかに記載の表示装置。
【請求項７】
前記回転記憶媒体の情報を読み取る読み取り装置を備えたことを特徴とする請求項６に記載の表示装置。
【発明の詳細な説明】
【技術分野】
【０００１】
本発明は表示装置に関し、例えば、音楽用コンパクトディスクなどの意匠を備えた部材の意匠を利用した表示装置に関するものである。
【背景技術】
【０００２】
従来の表示装置は、例えば、車両用の計器装置を例に取って説明すると、指針と、この指針の後方に、前記指針が指示する文字や目盛などを備えた目盛板とを備えていた。目盛板の意匠は、車両の速度やエンジン回転数などの値を表す文字や目盛だけが設けられているものが多数であり、目盛板の背景となる地の部分は単色であった。あるいは、ごく少数の機種において、目盛板の地の部分にグラデーションを施したものがあった（例えば、特許文献１参照）。
【特許文献１】特開平１１−１１９６６２号公報（図１参照）
【発明の開示】
【発明が解決しようとする課題】
【０００３】
従来の表示装置においては、表示装置の目盛板などの背景を異なる意匠に変更することは不可能であったため、目盛板の背景の意匠的な表現が限られ、変化に乏しく、面白みや商品性に欠けるものであった。
【０００４】
そこで、本発明は前述した問題点に着目し、背景を変更することが可能で、面白みや商品性が向上した表示装置を提供することを目的とするものである。
【課題を解決するための手段】
【０００５】
本発明は、前記課題を解決するため、交換可能な意匠部材と、この意匠部材の少なくとも一部を透視可能な表示器とを備えたものである。
【０００６】
また、本発明は、前記表示器が、前記意匠部材の前面に位置する透過性を有する目盛板と、この目盛板に設けた指標部を指示する指針と、この指針を駆動する計器本体とからなるものである。
【０００７】
また、本発明は、前記意匠部材を収納する第１の収納室と、前記表示器を収納する第２の収納室とを備えたものである。
【０００８】
また、本発明は、前記意匠部材と前記表示器との間に光透過率の低い透過性部材を設けたものである。
【０００９】
また、本発明は、前記意匠部材と前記表示器との間に光を透過するとともに光を拡散する拡散部材を設けたものである。
【００１０】
また、本発明は、前記意匠部材を回転記憶媒体としたものである。
【００１１】
また、本発明は、前記回転記憶媒体の情報を読み取る読み取り装置を備えたものである。
【発明の効果】
【００１２】
以上、本発明によれば、初期の目的を達成することができ、背景を変更することが可能で、面白みや商品性が向上した表示装置を提供することを目的とするものである。
【発明を実施するための最良の形態】
【００１３】
本発明は、前記課題を解決するため、交換可能な意匠部材である音楽用コンパクトディスク（以下、ＣＤという）３と、このＣＤ３の少なくとも一部を透視可能な表示器２とを備えたものである。このように構成したことによって、背景を変更することが可能で、面白みや商品性が向上した表示装置を提供することができる。
【００１４】
また、表示器２が、ＣＤ３の前面に位置する透過性を有する目盛板４と、この目盛板４に設けた指標部７を指示する指針５と、この指針５を駆動する計器本体６とからなるものである。このように構成したことによって、背景を変更することが可能で、面白みや商品性が向上した表示装置を提供することができる。
【００１５】
また、ＣＤ３を収納する第１の収納室２４と、表示器２を収納する第２の収納室２５とを備えたものである。このように構成したことによって、背景を変更することが可能で、面白みや商品性が向上した表示装置を提供することができる。また、ＣＤ３の交換に伴い、表示器２を収納した第２の収納室２５内への塵埃などの侵入を抑えることが可能な表示装置を提供することができる。
【００１６】
また、ＣＤ３と表示器２との間に光透過率の低い透過性部材であるスモーク材１７を設けたものである。このように構成したことによって、背景を変更することが可能で、面白みや商品性が向上した表示装置を提供することができる。また、表示器２の表示内容とスモーク材１７とのコントラストが良好で視認性の良い表示装置を提供することができる。
【００１７】
また、ＣＤ３と表示器である液晶表示素子２７との間に光を透過するとともに光を拡散する拡散部材を設けたものである。このように構成したことによって、背景を変更することが可能で、面白みや商品性が向上した表示装置を提供することができる。また、液晶表示素子２７の表示内容と拡散部材とのコントラストが良好で視認性の良い表示装置を提供することができる。
【００１８】
また、ＣＤ３の情報を読み取る読み取り装置２０を備えたものである。このように構成したことによって、背景を変更することが可能で、面白みや商品性が向上した表示装置を提供することができる。また、ＣＤ３に記録された情報を読み取ることが可能な表示装置を提供することができる。
【実施例１】
【００１９】
以下、本発明の第１実施例を添付図面に基づいて説明する。
【００２０】
第１実施例は、本発明を車両の計器装置１に適用したものである。本実施例の計器装置１は車両の速度を表示する速度計であり、速度を指示する表示器２と、この表示器２の背後に位置する意匠を備えた意匠部材であり回転記憶媒体であるＣＤ３とを備えている。
【００２１】
本実施例では、表示器２は指示計器であり、目盛板４と、指針５及び計器本体６とで構成されている
【００２２】
目盛板４は透明な合成樹脂からなる板状体で円形である。この目盛板４の表面には、速度を表す文字や目盛や単位などの指標部７が設けられている。この指標部７は白色であり、スクリーン印刷などの方法によって形成されている。
【００２３】
指針５は透明な合成樹脂からなり、細長く先が細い四角柱状の指示部８と円柱状の指針基部９とを備えている。なお、指示部８の運転者側の面８ａと目盛板７側の面８ｂとには、図示していないが、例えば、赤色の着色層が形成されている。
【００２４】
計器本体６はステッピングモータであり、指針軸１０を介して指針５と連結している。計器本体６は回路基板１１に固定されている。この回路基板１１は硬質の回路基板であり、材質はガラスエポキシ樹脂によって形成されている。なお、計器本体６はステッピングモータに限らず、交差コイル式の計器本体であってもよい。
【００２５】
計器本体６や回路基板１１や指針５の一部は、カバー１２にて覆われている。このカバー１２は、目盛板７の周囲を覆う見返し１３と、この見返し１３の周囲から運転者側に伸びるバイザー１４とで一体に形成されて、前カバー１５を形成している。この前カバー１５は合成樹脂から形成されている。
【００２６】
カバー１２は、見返し１３の目盛板２が露出する開口１３ａの下側部分に接続している。また、バイザー１４の運転者側には、透明な合成樹脂からなるカバーガラス１６が固定されている。
【００２７】
目盛板４の背後には、スモーク材１７と呼ばれる光透過率の低い透過性部材が設けられている。このスモーク材１７は合成樹脂製で円盤形状であり、色は黒で、その光透過率は８０パーセント程度である。このスモーク材１７は目盛板４に形成した白色の指標部７を良好に視認することができるようにするとともに、ＣＤ３の意匠が目立ちすぎることによって、指標部７などの視認性が低下することを抑制するためのものである。
【００２８】
目盛板４とスモーク材１７とは、筒状の中ケース１８に固定されている。
【００２９】
表示器２の背後に、ＣＤ３が位置している。このＣＤ３の背後にはＣＤ３の情報を読み取るピックアップ部１９を備えた読み取り装置２０が設けられている。この読み取り装置２０は、ピックアップ部１９によってＣＤ３の情報を読み取ることが可能である。ＣＤ３は読み取り装置２０に固定部２１によって固定されている。固定部２１はＣＤ３の中心部に設けられた円形の孔にて係止してＣＤ３を固定している。
【００３０】
なお、本実施例においては、読み取り装置２０はトレー式で外部に設けたスイッチ２２を操作することによって、図２に示すように読み取り装置２０が右側に突出するように、図示しないスライド機構を備えている。また、ＣＤ３と読み取り装置２０とは、合成樹脂製の後部カバー２３によって覆われている。
【００３１】
このＣＤ３と読み取り装置２０は、スモーク材１７と後部カバー２３とで囲まれた第１の収納室２４内に収納されている。また、表示器２を構成する指針５と計器本体６と目盛板４の指標部７は、目盛板４と前カバー１５とカバーガラス１６とで囲まれた第２の収納室２５内に収納されている。このように、ＣＤ３と読み取り装置２０とを収納する第１の収納室２４と、表示器２を収納した第２の収納室２５とを別々に仕切ることによって、読み取り装置２０を開閉する際などに、第２の収納室２５内に塵埃などが侵入することを抑えることができる。
【００３２】
また、本実施例においては、前カバー１５と中ケース１８及び後部カバー２３は、合成樹脂からなる外装ケース２６によって覆われている。
【００３３】
以上のように構成したことによって、本実施例においては、表示器２の目盛板４を通して、目盛板４の背後に設けたＣＤ３の少なくとも一部が透視可能となっている。これは図１で示すように、ＣＤ３の板面に形成した「ＭＵＳＩＣ」という意匠が目盛板４の奥に視認することができる。また、運転者の好みに応じてＣＤ３を交換することが可能となり、表示器４の背後の意匠を変更することで、面白みや商品性を向上させることが可能となる。
【００３４】
また、本実施例においては、目盛板４の指標部７が白色であるため、スモーク材１７は黒色であったが、本実施例に限定されるものではなく、任意に設定可能である。例えば、指標部７の色が黒などの暗色とした場合は、透過性部材の色は、乳白色で光透過率の低いものであっても良い。あるいは、白色などで光を透過し、かつ、光を拡散する拡散部材などとしてもよい。
【００３５】
また、目盛板４を光透過率が低くく、かつ、黒色などの暗色とし、第１実施例のスモーク材１７である透過性部材を省略した構造としても良い。
【実施例２】
【００３６】
次に本発明の第２実施例を図５を用いて説明する。第１実施例においては、表示器２は、指針５を備えた指示計器であったが、本実施例では、表示器２に液晶表示素子２７を採用したものである。この液晶表示素子２７は、透明な２枚のガラス基板の間に液晶を封入したもので、その中央部に速度を示す速度表示用のセグメント２８を備えており、この速度表示用セグメント２８の下方に車両の走行距離を表示する走行距離表示用セグメント２９を備えている。また、液晶表示素子２７の見返し１３の開口１３ａに隣接する周囲には、車両のエンジン回転数を表示するグラフ状のエンジン回転数表示用セグメント３０を備えている。
【００３７】
この液晶表示素子２７の各セグメント２８〜３０は黒色のポジ表示である。そして、本実施例では、各セグメント２８〜３０は黒色であるため、第１実施例のようなスモーク材１７を液晶表示素子２７の背後に設けると、各セグメント２８〜３０が視認しにくくなるので、第１実施例のスモーク材１７に代えて、白色で、光を透過し、かつ、光を拡散する拡散部材を設けてある。このように構成することによって、液晶表示素子２７の各セグメント２８〜３０を良好に視認することができる。
【００３８】
以上のように構成したことによって、本実施例においては、液晶表示素子２７を通して、液晶表示素子２７の背後に設けたＣＤ３の少なくとも一部が透視可能となっている。これは図５で示すように、ＣＤ３の板面に形成した「ＭＵＳＩＣ」という意匠が液晶表示素子２７の奥に視認することができる。また、運転者の好みに応じてＣＤ３を交換することが可能となり、表示器４の背後の意匠を変更することで、面白みや商品性を向上させることが可能となる。
【００３９】
以上のように、前記各実施例では、従来変更することができなかった車両用の表示装置の背景を変更することが可能となり、面白みや商品性が向上した表示装置を提供することができる。
【００４０】
なお、本実施例では、回転記憶媒体としてＣＤ３を採用していたが、本実施例に限定されるものではなく、ＤＶＤなどであってもよい。
【００４１】
また、近年では、パーソナルコンピュータなどを用いて、個人で意匠を書き込み可能なＣＤなどの表面に形成することができ、好みの意匠をＣＤに作成することもできるので、運転者の好みの画像を背景とすることも可能である。なお、前記各実施例では、ＣＤなどの回転記憶媒体のみを例に挙げていたが、前記実施例に限定されるものではなく、単に意匠のみを形成したものであっても良い。
【００４２】
なお、本発明の各実施例では、車両用の表示装置を例に挙げて説明していたが、前記実施例に限定されるものではなく、他の表示装置に採用してもよい。あるいは、音楽用ＣＤプレーヤーなどに本発明の表示装置を採用してもよい。
【図面の簡単な説明】
【００４３】
【図１】本発明の第１実施例の正面図。
【図２】同第１実施例の正面図。
【図３】同実施例の側面図。
【図４】図１中Ａ−Ａ線の断面図。
【図５】本発明の第２実施例の正面図。
【符号の説明】
【００４４】
１  計器装置（表示装置）
２  表示器
３  ＣＤ（回転記憶媒体）
４  目盛板
５  指針
６  計器本体
７  指標部
１７  スモーク材（透過性部材）
２０  読み取り装置
２４  第１の収納室
２５  第２の収納室
２７  液晶表示素子
２８  速度表示用セグメント
２９  走行距離表示用セグメント
３０  エンジン回転数表示用セグメント
【図１】
2005315664.tif 000003
【図２】
2005315664.tif 000004
【図３】
2005315664.tif 000005
【図４】
2005315664.tif 000006
【図５】
2005315664.tif 000007